(57)【要約】【課題】キャンから延びている給電端子の先端を制御基板のスルーホールに位置決めでき、容易に組み立てることができる電動ウォーターポンプを提供する。【解決手段】電動ウォーターポンプ１は、ポンプケーシング１０と、ロータ３０と、ステータ４０と、支持軸２０と、支持軸２０に嵌合する凹部６２を有するキャン６０と、を備える。ステータは、絶縁ボビン４２ｂに設けられる固定脚部５２を備えている。給電端子６４は、傾動可能な応力吸収部６５が設けられるとともに、絶縁ボビン４２ｂに固定脚部５２に隣接して給電端子６４の先端を電子制御基板７０のスルーホール７１へ案内する案内部５４が設けられている。【選択図】図４
2020153358.tif 000002
【特許請求の範囲】
【請求項１】
吸込口、吐出口、および渦巻室を有するポンプケーシングと、
ロータマグネット、および上記渦巻室に収容されたインペラを有するロータと、
前記ロータに対して、その回転半径方向外方に配置されたステータと、
前記ポンプケーシングに固定され前記ロータを回転可能に支持する支持軸と、
前記ポンプケーシングに固定された樹脂製の区画フランジ部および前記支持軸に嵌合する凹部を有し、前記渦巻室および前記ロータと前記ステータとを区画するとともに前記ロータを覆うように前記ポンプケーシングに取り付けられるキャンと、を備える電動ウォーターポンプであって、
前記区画フランジ部に給電端子を有する給電カプラが設けられ、
前記ステータは、前記キャンを介して前記ポンプケーシングに取り付けられるステータリングと、前記ステータリングに設けられる絶縁ボビンと、前記絶縁ボビンから延び出るようにして設けられる固定脚部とを備え、
前記ステータの界磁を制御する制御基板は、前記固定脚部を介して前記ステータリングの端面に保持され、前記制御基板と前記給電端子とが電気的に接続され、
前記給電端子には傾動可能な応力吸収部が設けられるとともに、前記絶縁ボビンには前記固定脚部に隣接して前記給電端子の先端を前記制御基板のスルーホールへ案内する案内部が設けられていることを特徴とする電動ウォーターポンプ。
【請求項２】
請求項１に記載の電動ウォーターポンプであって、
前記案内部は、前記応力吸収部と離間しており、
前記給電端子の前記応力吸収部から先端までの全長の５０％以上の長さを有するとともにその内面と前記給電端子との間に隙間が形成された箱状部と、前記箱状部の先端側に形成されるとともに前記給電端子の先端部のみを支持する狭小部とを備えていることを特徴とする電動ウォーターポンプ。
【請求項３】
請求項２に記載の電動ウォーターポンプであって、
前記固定脚部と前記案内部との間を繋ぐリブが設けられていることを特徴とする電動ウォーターポンプ。
【請求項４】
請求項２又は請求項３に記載の電動ウォーターポンプであって、
前記キャンに接する前記ステータリングの一端側には、締結部材で前記ポンプケーシングに締結される第１締結フランジが設けられ、
前記制御基板に対向する前記ステータリングの他端側には、前記固定脚部を介して前記制御基板を支持する第２締結フランジが設けられるとともに、
前記ステータリングの平面視にて、前記第２締結フランジは第１締結フランジと重ならない位置に配置されていることを特徴とする電動ウォーターポンプ。
【発明の詳細な説明】
【技術分野】
【０００１】
本発明は電動ウォーターポンプに関する。本発明は特に、車両の冷却液等の流体を送るための電動ウォーターポンプに関する。
【背景技術】
【０００２】
従来、電動ウォーターポンプには、吸入口と吐出口とを有するポンプケーシングの内部に配置されると共に、ロータと一体的に回転して吸入口から吐出口へ冷却水を送り込むインペラとを備えた電動ウォーターポンプが知られている（例えば、特許文献１参照）。
【０００３】
特許文献１の電動ウォーターポンプは、いわゆるキャンドモータ型電動ウォーターポンプであり、固定子への通電を制御する制御装置と、制御装置への給電端子を有する給電部と、を備えたモータが搭載されている。モータは、筐体における固定子収容部の径方向外側に設けられ、固定子収容部側の面が傾斜している。
【先行技術文献】
【特許文献】
【０００４】
【特許文献１】特開第６２９４１９９号公報
【発明の概要】
【発明が解決しようとする課題】
【０００５】
ところで、キャンドモータ型電動ウォーターポンプでは、ロータ側とステータ側を分ける分離壁のフランジと一体に外部接続カプラを設ける場合、フランジはステータよりポンプ羽根車の側になり、制御基板は羽根車と反対側にとり付くことになるため、給電端子がステータを横切ることになり全長が長くなる。給電端子の全長が長くなるので、組み立ての際、キャンから延びている給電端子の先端を制御基板のスルーホールに位置合わせし難くなる。
【０００６】
本発明の目的は、かかる従来技術の問題点に鑑み、キャンから延びている給電端子の先端を制御基板のスルーホールに位置決めでき、容易に組み立てることができる電動ウォーターポンプを提供することにある。
【課題を解決するための手段】
【０００７】
［１］本発明に係る電動ウォーターポンプは、
吸込口、吐出口、および渦巻室を有するポンプケーシングと、
ロータマグネット、および上記渦巻室に収容されたインペラを有するロータと、
前記ロータに対して、その回転半径方向外方に配置されたステータと、
前記ポンプケーシングに固定され前記ロータを回転可能に支持する支持軸と、
前記ポンプケーシングに固定された樹脂製の区画フランジ部および前記支持軸に嵌合する凹部を有し、前記渦巻室および前記ロータと前記ステータとを区画するとともに前記ロータを覆うように前記ポンプケーシングに取り付けられるキャンと、を備える電動ウォーターポンプであって、
前記区画フランジ部に給電端子を有する給電カプラが設けられ、
前記ステータは、前記キャンを介して前記ポンプケーシングに取り付けられるステータリングと、前記ステータリングに設けられる絶縁ボビンと、前記絶縁ボビンから延び出るようにして設けられる固定脚部とを備え、
前記ステータの界磁を制御する制御基板は、前記固定脚部を介して前記ステータリングの端面に保持され、前記制御基板と前記給電端子とが電気的に接続され、
前記給電端子には傾動可能な応力吸収部が設けられるとともに、前記絶縁ボビンには前記固定脚部に隣接して前記給電端子の先端を前記制御基板のスルーホールへ案内する案内部が設けられていることを特徴とする。
【０００８】
かかる構成によれば、区画フランジ部に給電端子を有する給電カプラが設けられており、区画フランジ部から給電端子が延びている。案内部は、絶縁ボビンに設けられており、かつ、制御基板を固定する固定脚部の近傍に一体に設けられているので、制御基板を絶縁ボビンに固定するだけで制御基板が案内部に位置決めされる。これにより、案内部の孔に制御基板のスルーホールが臨む状態となる。続いてこれを分離壁部であるキャンと結合するときに、給電端子の先端が案内部に導かれて制御基板のスルーホールをスムーズに通過するので、組立が容易になる。このように、カプラを設けるキャンと制御基板を取り付けるステータの絶縁ボビンとの相対位置のズレ（公差）を吸収する構造としたので、キャンから延びている給電端子の先端を制御基板のスルーホールに位置決めでき、容易に組み立てることができる。
【０００９】
［２］また、本発明の電動ウォーターポンプにおいて、
前記応力吸収部は、案内部と離間しており、
前記案内部は、前記給電端子の前記応力吸収部から先端までの全長の５０％以上の長さを有するとともにその内面と前記給電端子との間に隙間が形成された箱状部と、前記箱状部の先端側に形成されるとともに前記給電端子の先端部のみを支持する狭小部とを備えていることが好ましい。
【００１０】
かかる構成によれば、応力吸収部は案内部と離間しているので、案内部に給電端子の直線状の部分を通すことで、案内部の大型化を回避できる。給電端子は比較的長いので、仮に案内部の内孔を全て細く形成してしまうと、キャンが支持軸の軸芯に整列した際、給電端子の先端とスルーホールとの位置ずれが大きくなるため、給電端子を案内部に挿入し難くなる。この点、本発明では、案内部の全長を長くとり、案内部の内面と給電端子と間に隙間を形成して案内部の入り口側を広くしたので容易に給電端子を挿入することができる。さらに、モータが回転すると案内部や給電端子が振動するが、振動で給電端子と案内部が叩き合って音鳴りすることを、給電端子と案内部との間に隙間を形成することで（クリアランスを広くすることで）、音鳴りも改善することができる。
【００１１】
[３]また、本発明の電動ウォーターポンプにおいて、
前記固定脚部と前記案内部との間を繋ぐリブが設けられていることが好ましい。
【００１２】
かかる構成によれば、固定脚部と案内部とをリブで繋ぐことで、案内部が補強されるので、案内部に給電端子を挿入する際にも位置決めがずれることを防止できる。さらに、絶縁ボビンとともに案内部および固定脚部を樹脂射出成型する際、いわゆる湯回りが良くなるので製造時の成形性を向上することができる。さらに、リブにより振動による案内部の共振も減るので、騒音も改善することができる。
【００１３】
[４]また、本発明の電動ウォーターポンプにおいて、
前記キャンに接する前記ステータリングの一端側には、締結部材で前記区画フランジ部に締結される第１締結フランジが設けられ、
前記制御基板に対向する前記ステータリングの他端側には、前記固定脚部を介して前記制御基板を支持する第２締結フランジが設けられるとともに、
前記ステータリングの平面視にて、前記第１締結フランジは第２締結フランジと重ならない位置に配置されていることが好ましい。
【００１４】
かかる構成によれば、平面視で（軸線方向から見て）、制御基板及び第２締結フランジと、第１締結フランジとは重ならないので、締結工具挿入の邪魔にならない。これによれば、制御基板をステータリングに取り付けた後にステータリングとキャンを固定し、給電端子の先端が案内部を通って制御基板の下方に露出するようにできる。結果、組み立てを容易にして生産性を向上することができる。
【図面の簡単な説明】
【００１５】
【図１】（ａ）は本発明に係る電動ウォーターポンプの構造を示す断面図である。（ｂ）は本発明に係る電動ウォーターポンプの斜視図である。
【図２】本発明に係る電動ウォーターポンプの分解斜視図である。
【図３】（ａ）は本発明に係る案内部、固定脚部およびリブの説明図である。（ｂ）は本発明に係る第１締結フランジおよび第２締結フランジの説明図である。
【図４】（ａ）は本発明に係る給電端子周辺の斜視図である。（ｂ）は本発明に係る案内部の拡大斜視図である。（ｃ）本発明に係る案内部の断面図である。
【発明を実施するための形態】
【００１６】
以下、図面を用いて本発明の実施形態を説明する。なお、図面は、電動ウォーターポンプ１を概念的（模式的）に示すものとする。
【００１７】
図１（ａ）〜図３（ａ）に示すように、本発明の一実施形態に係る電動ウォーターポンプ１は、例えば自動車用のいわゆるキャンド型冷却水ポンプであり、ポンプケーシング１０と、支持軸２０と、ロータ３０と、ステータ４０と、キャン６０と、制御基板７０と、基板ハウジング８０とを備えている。
【００１８】
ポンプケーシング１０は、流体の吸入口１１と、この吸入口１１から入りインペラ３１から吐き出された流体を集める渦巻室１２と、この渦巻室１２からの流体を外部に吐出する吐出口１５と、キャン６０等を固定するための締結部材９１が締め付けられる複数個（この実施の形態においては６個）のケース雌ねじ部１３と、支持軸２０が圧入された支持軸保持部１４と、を備えている。
【００１９】
また、ポンプケーシング１０は、導電性を有する軽金属素材のダイカストにて形成されており、このポンプケーシング１０に支持軸保持部１４が一体的に設けられている。支持軸２０は、全長の４０％以上に亘る圧入部２１と、ロータ２０を回転可能に支持する支持本体部２２を有している。なお、この実施の形態においては、支持本体部２２の直径は、圧入部２１の直径よりも大きく設定されている。このような圧入部２１にワッシャ２３が通され、ワッシャ２３が支持本体部２２と支持軸保持部１４との間に挟まれた状態で、圧入部２１が支持軸保持部１４に圧入されている。これにより、支持軸２０がポンプケーシング１０に固定されている。
【００２０】
ロータ３０は、支持軸２０の支持本体部２２に設けられた滑り軸受３２と、この滑り軸受３２に設けられたインペラ支持部材３３と、このインペラ支持部材３３に設けられたインペラ３１と、インペラ３１の蓋部３１ａと、インペラ支持部材３３に設けられたロータマグネット３４と、を備えている。インペラ３１は渦巻室１２に収容され、ロータマグネット３４はステータ４０の内径側に配置されている。
【００２１】
ステータ４０は、ロータ３０に対して、その回転半径方向外方に配置されている。ステータ４０は、略円環状のステータリング４１と、このステータリング４１の内径側に設けられた絶縁ボビン４２ａ、４２ｂと、この絶縁ボビン４２ａ、４２ｂが被着される鉄心４３と、この鉄心４３に設けられた複数の内向きのティース部４４と、鉄心４３に設けられた複数のヨーク部４５と、各ティース部４４の外方で絶縁ボビン４２ａ、４２ｂに巻装された電磁コイル４６と、この電磁コイル４６に通電する通電端子４７と、を備えている。
【００２２】
また、ステータ４０は、磁性材料で積層され複数のヨーク部４５が連接された鉄心４３の各内向きティース部４４にその両端から複数のヨーク被覆部４８ａ、４８ｂおよび複数のティース被覆部４９ａ、４９ｂを有するようにして積層方向で２分割成形された一対の絶縁ボビン４２ａ、４２ｂが被着されている。さらに、ステータ４０は、絶縁ボビン４２ａ、４２ｂに電磁コイル４６が巻装され、キャン６０と固定される第１締結フランジ４１ａを有する円環状のステータリング４１に嵌装されることで環状に形成されている。
【００２３】
また、ステータ４０は、円環状に形成された複数の内向きのティース部４４の各内径面でキャン６０の周面に外嵌することでキャン６０を介して支持軸２０の軸心に位置決めされている。
【００２４】
キャン６０は、ポンプケーシング１０に固定された樹脂製の区画フランジ部６１および支持軸２０に嵌合する凹部６２を有しており、渦巻室１２およびロータ３０とステータ４０とを区画するとともにロータ３０を覆うようにポンプケーシング１０に取り付けられている。また、キャン６０の区画フランジ部６１には給電カプラ６３が設けられ、この給電カプラ６３に給電端子６４が設けられている。
【００２５】
電動ウォーターポンプ１は、凹部６２でキャン６０を支持軸２０の軸心に位置決めさせるとともに、ポンプケーシング１０と区画フランジ部６１との相互間に、周方向および径方向の位置ずれ（芯ずれ）を吸収する第１の遊び５０を有している。ポンプケーシング１０と区画フランジ部６１とは第１の遊び５０を介して係合している。
【００２６】
また、電動ウォーターポンプ１は、複数の内向きのティース部４４の各内径面でステータ４０をキャン６０の周面に位置決めさせるとともに、ステータリング４１とキャン６０との相互間に、周方向および径方向の位置ずれを吸収する第２の遊び５１を有している。ステータリング４１とキャン６０とは、第２の遊び５１をもって係合している。なお、この実施の形態においては、ポンプケーシング１０、区画フランジ部６１、ステータリング４１の第1締結フランジ４１ａをこの順に並べるとともに、３個の締結部材９１がステータリング４１の第1締結フランジ４１ａおよび区画フランジ部６１のそれぞれのねじ挿通孔に通され、ポンプケーシング１０の上記６個のケース雌ねじ部１３のうちの３か所に締結している。
【００２７】
ステータ４０の界磁を制御する制御基板７０は、絶縁ボビン４２ｂから延び出るようにして設けられる固定脚部５２を介してステータリング４１の端面である第２締結フランジ４１ｂに保持され、給電端子６４と電気的に接続されている。より詳細には、固定脚部５２の内径側にはカラー５３が配置され、締結部材９２が制御基板７０側からカラー５３内に挿通され、ステータリング４１の第２締結フランジ４１ｂに締結されている。
【００２８】
しかも、給電端子６４には、第２の遊び５１を吸収するように傾動可能な応力吸収部６５を設けられている。また、絶縁ボビン４２ｂには、固定脚部５２に隣接して給電端子６４の先端を制御基板７０のスルーホール７１へ案内する案内部５４が設けられている。
【００２９】
また、電動ウォーターポンプ１には、制御基板７０およびステータ４０を液密に覆うべく、導電性を有する金属素材からなり、底壁と周壁とを備えるいわゆるバスタブ状に形成された基板ハウジング８０が設けられている。基板ハウジング８０は、区画フランジ部６１を挟持するようにしてポンプケーシング１０に固定されるものであり、この実施の形態においては、３個の締結部材９１と区画フランジ部６１との間には、第１の遊び５０を許容する導電性カラー部材６６が介装されている。
【００３０】
なお、制御基板７０と基板ハウジング８０との間には放熱グリス（不図示）が塗布され、制御基板７０と基板ハウジング８０との間を熱伝導可能に密着している。また、キャン６０とポンプケーシング１０との間には第１シール部材８１が設けられている。さらに、制御基板７０の外方で基板ハウジング８０と区画フランジ部６１との間には第２シール部材８２が設けられている。
【００３１】
次に制御基板７０とステータリング４１の位置関係について説明する。図３（ａ）および図３（ｂ）に示すように、制御基板７０に対向するステータリングの端部には、固定脚部５２を介して制御基板７０を支持する第２締結フランジ４１ｂが設けられている。キャン６０に接するステータリング４１の他端側には、締結部材９１でケース雌ねじ部１３に締結される第１締結フランジ４１ａが設けられている。なお、ステータリング４１の平面視にて、第２締結フランジ４１ｂは第１締結フランジ４１ａと重ならない位置に配置されている。
【００３２】
このように、平面視で（軸線方向から見て）、制御基板７０及び第２締結フランジ４１ｂと、第１締結フランジ４１ａとは重ならないので、締結工具挿入の邪魔にならない。これによれば、制御基板７０をステータリング４１に取り付けた後にステータリング４１とキャン６０を固定し、給電端子６４の先端が案内部５４を通って制御基板７０の下方に露出するようにできる。結果、組み立てを容易にして生産性を向上することができる。
【００３３】
次に案内部５４および給電端子６４について説明する。図３（ａ）、図４（ａ）〜図４（ｃ）に示すように、キャン６０の給電カプラ６３に設けられた給電端子６４は、キャン６０の区画フランジ部６１に形成された開口部６７から案内部５４側に延びている。
【００３４】
給電端子６４には、傾動可能な応力吸収部６５が設けられている。応力吸収部６５は、案内部５４と離間している。案内部５４は、給電端子６４の応力吸収部６５から制御基板７０側先端までの全長の５０％以上の長さを有するとともにその内面５４ａと給電端子６４との間に隙間Ｓが形成された箱状部５４ｂと、この箱状部５４ｂの制御基板７０側に形成されるとともに給電端子６４の先端部のみを支持する狭小部５４ｃとを備えている。
【００３５】
案内部５４の入り口側には第１テーパ５４ｄが形成されており、狭小部５４ｃの入り口側には第２テーパ５４ｅが形成されている。また、固定脚部５２と案内部５４との間には、固定脚部５２と案内部５４とを繋ぐリブ５２ａが設けられている。
【００３６】
このように、応力吸収部６５は案内部５４と離間しているので、案内部５４に給電端子６４の直線状の部分を通すことで、案内部５４の大型化を回避できる。給電端子６４は比較的長いので、仮に案内部５４の内孔を全て細く形成してしまうと、キャン６０が支持軸２０の軸芯に整列した際、上記したようにステータリング４１の第１締結フランジ４１ａとキャン６０との相互間の第２の遊び５１の範囲で給電端子６４の先端とスルーホール７１との位置ずれが生じるため、給電端子６４を案内部５４に挿入し難くなる。
【００３７】
この点、本発明では、案内部の全長を給電端子６４の応力吸収部６５から制御基板７０側先端までの全長の５０％以上の長さを有する程度に長くとり、これにより案内部の内面と給電端子と間に隙間を形成して案内部５４の入り口側を広くしたので、案内部５４に容易に給電端子を挿入することができる。しかも、案内部５４に導かれた給電端子６４の基板側先端は応力吸収部６５を支点として傾動可能であるため、上記第２の遊びによる位置ずれを容易に吸収するとともに給電端子６４の先端が案内部５４に導かれて制御基板７０のスルーホール７１をスムーズに通過することができる。さらに、モータが回転すると案内部５４や給電端子６４が振動するが、振動で給電端子６４と案内部５４が叩き合って音鳴りすることを、給電端子６４と案内部５４との間に隙間を形成することで（クリアランスを広くすることで）、音鳴りも改善することができる。
【００３８】
さらに、案内部５４には、第１テーパ５４ｄが形成されているので、給電端子６４が大きく傾動しても給電端子６４の先端を導き易くできる。さらに、案内部５４には、第２テーパ５４ｅも形成されているので、箱状部５４ｂの内部から狭小部５４ｃへも給電端子６４の先端を導き易くできる。このように第１テーパ５４ｄおよび第２テーパ５４ｅの２段階のテーパにより、仮に給電端子６４が大きく傾動しても給電端子６４の先端をスルーホール７１へ容易に位置決めすることができる。
【００３９】
次に電動ウォーターポンプ１の組付け手順の概要を説明する。図１（ａ）〜図４（ｃ）に示すように、ポンプケーシング１０に支持軸２０を圧入固定する。インペラ３１を有するロータ３０を滑り軸受３２を介在して支持軸２０に挿入し、第１シール部材８１をポンプケーシング１０に組付ける。続いて、キャン６０の凹部６２を支持軸２０に嵌め合わせ、ロータ３０がポンプケーシング１０とキャン６０に覆われた状態にする。なお、キャン６０のねじ挿通孔には導電性カラー部材６６を嵌め込む。また、これとは別に、磁性材料より積層された鉄心４３に一対の絶縁ボビン４２ａ、４２ｂを被着するとともに電磁コイル４６を巻線してから環状に連結したステータ４０を作製し、該ステータ４０をステータリング４１の内方に嵌める。さらに、ステータ４０の絶縁ボビン４２ｂに設けられた固定脚部５２に締結部材９２を通過させて第２締結フランジ４１ｂにねじ込み、これにより制御基板７０をステータリング４１に固定する。
【００４０】
このとき、案内部５４とスルーホール７１とが位置決めされるとともに、ステータ４０から延びている通電端子４７の先端部分がスルーホール７１を通って制御基板７０に挿通される。次に、制御基板７０が締結されたステータ４０の内周面をキャン６０のロータ３０を覆っている円筒状の部位の周面に嵌める。このとき、キャン６０から突出している給電端子６４の基板側先端部分が絶縁ボビン４２ｂの案内部５４を通ってスルーホール７１を通って制御基板７０に挿通される。ステータリング４１の第１締結フランジ４１ａ、およびキャン６０のねじ挿通孔に介装した導電性カラー部材６６へとこの順に３個の締結部材９１を挿通し、この締結部材９１をハウジング１０の３か所のケース雌ねじ部１３に締結することで、ロータ３０を覆うキャン６０およびステータ４０を保持するステータリング４１の各部材がハウジング１０に固定される。さらに、制御基板７０に挿通された通電端子４７及び給電端子６４をはんだ付けする。第２シール部材８２を区画フランジ部６１と基板ハウジング８０との間に介在させるようにして区画フランジ部６１と基板ハウジング８０とを当接させ、ステータ４０および制御基板７０がポンプケーシング１０と基板ハウジング８０に覆われた状態にするとともに、基板ハウジング８０のねじ挿通孔からキャン６０のねじ挿通孔の導電性カラー部材６６へとこの順に残余の３個の締結部材９１をそれぞれ挿通し、この締結部材９１で締結することで電動ウォーターポンプ１の組付けが完了する。
【００４１】
次に以上に述べた電動ウォーターポンプ１の作用を説明する。区画フランジ部６１に給電端子６４を有する給電カプラ６３が設けられており、区画フランジ部６１から給電端子６４が延びている。案内部５４は、絶縁ボビン４２ａ、４２ｂに設けられており、かつ、制御基板７０を固定する固定脚部５２の近傍に一体に設けられているので、制御基板７０を絶縁ボビン４２ａ、４２ｂに固定するだけで制御基板７０が案内部５４に位置決めされる。
【００４２】
これにより、案内部５４の孔に制御基板７０のスルーホール７１が臨む状態となる。続いてこれを分離壁部であるキャン６０と結合するときに、給電端子６４の先端が案内部５４に導かれて制御基板７０のスルーホール７１をスムーズに通過するので、組立が容易になる。このように、給電カプラ６３を設けるキャン６０と制御基板７０を取り付けるステータ４０の絶縁ボビン４２ａ、４２ｂとの相対位置のズレ（公差）を吸収する構造としたので、キャン６０から延びている給電端子６４の先端を制御基板７０のスルーホール７１に位置決めでき、容易に組み立てることができる。
【００４３】
さらに、応力吸収部６５は案内部５４と離間しているので、案内部５４に給電端子６４の直線状の部分を通すので、案内部５４の大型化を回避できる。給電端子６４は比較的長いので、仮に案内部５４の内孔を全て細く形成してしまうと、キャン６０が支持軸の軸芯に整列した際、給電端子６４の先端とスルーホール７１との位置ずれが大きくなるため、給電端子６４を案内部５４に挿入し難くなる。
【００４４】
この点、本発明では、案内部５４の全長を長くとり、案内部５４の内面５４ａと給電端子６４と間に隙間Ｓを形成して案内部５４の入り口側を広くしたので容易に給電端子６４を挿入することができる。さらに、モータが回転すると案内部５４や給電端子６４が振動するが、振動で給電端子６４と案内部５４が叩き合って音鳴りすることを、給電端子６４と案内部５４との間に隙間Ｓを形成することで（クリアランスを広くすることで）、音鳴りも改善することができる。
【００４５】
さらに、固定脚部５２と案内部５４とをリブ５２ａで繋ぐことで、案内部５４が補強されるので、案内部５４に給電端子６４を挿入する際にも案内部５４とスルーホール７１との位置関係がずれることを防止できる。さらに、絶縁ボビン４２ａ、４２ｂとともに案内部５４および固定脚部５２を樹脂射出成型する際、いわゆる湯回りが良くなるので製造時の成形性を向上することができる。さらに、リブ５２ａにより振動による案内部５４の共振も減るので、騒音も改善することができる。
【００４６】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００４７】
１…電動ウォーターポンプ、１０…ポンプケーシング、１１…吸入口、１２…渦巻室、１５…吐出口、２０…支持軸、３０…ロータ、４０…ステータ、４１…ステータリング、４１ａ…第１締結フランジ、４１ｂ…第２締結フランジ、４２ａ、４２ｂ…絶縁ボビン、５２…固定脚部、５２ａ…リブ、５４…案内部、５４ａ…内面、５４ｂ…箱状部、５４ｃ…狭小部、６０…キャン、６１…区画フランジ部、６２…凹部、６３…給電カプラ、６４…給電端子、７０…制御基板、７１…スルーホール、Ｓ…隙間。
【図１】
2020153358.tif 000003
【図２】
2020153358.tif 000004
【図３】
2020153358.tif 000005
【図４】
2020153358.tif 000006